(57)【要約】【課題】一つの動作で、垂直方向への移動と水平方向への移動の双方を同時に実現することができるコネクタ装置を提供する。【解決手段】第一ハウジングを有する第一コネクタと、第一ハウジングを収容する凹部を設けた第二ハウジングを有する第二コネクタから成る。第一ハウジングの周壁の一の側に第一ハウジングに一端側を接続したケーブルの他端側を第一ハウジングの外部に取り出すことができる第一取出部が設けられている。第一ハウジングの周壁の一の側に対向する側の外周面に、凹部の底部側に向かうにつれてケーブルの一端側から他端側へケーブルの延出方向に沿って傾斜する傾斜面が設けられており、該傾斜面と凹部との衝突を通じて、第一コネクタと第二コネクタの嵌合過程にて、第一コネクタを第二コネクタに対してケーブルの一端側から他端側へケーブルの延出方向に沿って移動させる。【選択図】図１
2016149212.tif 000002
【特許請求の範囲】
【請求項１】
互いに嵌合可能な第一コネクタと第二コネクタを有するコネクタ装置であって、
前記第一コネクタは、第一ハウジングを有し、
前記第二コネクタは、前記第一ハウジングを収容する凹部を設けた第二ハウジングを有し、
前記第一ハウジングの周壁の一の側に、一端側に前記第一ハウジングを配置したケーブルの他端側を前記第一ハウジングの外部に取り出すことができる第一取出部が設けられており、
前記凹部の周壁の一の側に、前記ケーブルの前記他端側を前記第二ハウジングの外部に取り出すことができる第二取出部が設けられており、
前記第一ハウジングの周壁の前記一の側に対向する側の外周面の少なくとも一部に、前記凹部の底部側に向かうにつれて前記ケーブルの前記一端側から前記他端側へ前記ケーブルの延出方向に沿って傾斜する傾斜面が設けられており、該傾斜面を前記凹部の少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させることを特徴とするコネクタ装置。
【請求項２】
前記第一ハウジングの周壁の前記一の側の外周面の少なくとも一部に、前記凹部の底部側に向かうにつれて前記ケーブルの前記一端側から前記他端側へ前記ケーブルの延出方向に沿って傾斜する他の傾斜面が設けられており、
これに対応して、前記凹部の周壁の前記一の側の内周面の少なくとも一部に、前記凹部の前記底部に向かうにつれて前記ケーブルの前記他端側から前記一端側へ前記ケーブルの延出方向に沿って傾斜する他の傾斜面が設けられており、
前記凹部の前記他の傾斜面は、前記第一コネクタと前記第二コネクタの嵌合完了時に、少なくとも前記凹部の前記他の傾斜面と前記第一ハウジングの前記他の傾斜面とが前記ケーブルの延出方向において重なり部分を有するように前記ケーブルの前記他端側から前記一端側に向って突出している請求項１に記載のコネクタ装置。
【請求項３】
前記第一ハウジングの上面の前記一の側の少なくとも一部は、前記第一コネクタと前記第二コネクタの嵌合完了時に、前記凹部の前記他の傾斜面の先端部よりも、前記ケーブルの前記一端側から前記他端側に向って突出している請求項２に記載のコネクタ装置。
【請求項４】
前記第一ハウジングの前記一の側と前記対向する側以外の側の外周面に外方に突出する突部が設けられており、
これに対応して、前記凹部の前記一の側と前記対向する側以外の側の内周面に、前記第一コネクタが前記第二コネクタに載置されたときに前記第一ハウジングの前記突部よりも内方に突出した状態にある載置部が設けられており、
前記第一ハウジングに設けられた突部が前記凹部に設けられた載置部を乗り越えることによって、前記第一コネクタは前記第二コネクタにロックされる請求項１乃至３のいずれかに記載のコネクタ装置。
【請求項５】
前記第一ハウジングの外周面と前記凹部の内周面はそれぞれ略矩形であって、
前記第一ハウジングの前記突部は、該第一ハウジングの前記一の側と前記対向する側との間に位置する対向する左右各側の外周面にそれぞれに設けられており、
前記凹部の前記載置部は、該凹部の前記一の側と前記対向する側との間に位置する対向する左右各側の内周面にそれぞれ設けられている請求項４に記載のコネクタ装置。
【請求項６】
前記第一ハウジングの前記一の側寄りに設けられた前記突部と、前記第二ハウジングの前記一の側寄りに設けられた前記載置部が一つの組を成し、
前記第一ハウジングの前記対向する側寄りに設けられた前記突部と、前記第二ハウジングの前記対向する側寄りに設けられた前記載置部が他の組を成し、
前記第一ハウジングの前記一の側寄りに設けられた前記突部が、前記第二ハウジングの前記一の側寄りに設けられた前記載置部を乗り越えるために要する力が、
前記第一ハウジングの前記対向する側寄りに設けられた前記突部が、前記第二ハウジングの前記対向する側寄りに設けられた前記載置部を乗り越えるために要する力よりも大きい請求項５に記載のコネクタ装置。
【請求項７】
前記衝突を通じて前記第一コネクタを前記第二コネクタに対して前記ケーブルの前記一端側から前記他端側へ前記ケーブルの延出方向に沿って移動させる前に、前記第一ハウジングは、前記一の組の突部と載置部の当接と前記他の組の突部と載置部の当接とを通じて、前記凹部に対して所定の姿勢で維持される請求項４乃至６のいずれかに記載のコネクタ装置。
【請求項８】
前記コネクタ装置は電気コネクタ装置であり、前記第一コネクタは、前記第一ハウジングに設けられた第一端子を有し、前記第二コネクタは、前記第二ハウジングに設けられ前記第一端子と電気的に接続され得る第二端子を有する請求項７に記載のコネクタ装置。
【請求項９】
前記第一ハウジングが、前記突部と前記載置部の当接を通じて、前記凹部に対して所定の姿勢で維持されているとき、前記第一端子と前記第二端子は電気的に接続されることはない請求項８に記載のコネクタ装置。
【請求項１０】
前記凹部の開口側に、前記第一ハウジング部を前記凹部の前記底部へ向かって案内する案内面が設けられている請求項１乃至９のいずれかに記載のコネクタ装置。
【請求項１１】
前記第二コネクタは基板実装型のコネクタである請求項１乃至１０のいずれかに記載の電気コネクタ装置。
【請求項１２】
前記凹部の周壁の前記一の側に対向する側の内周面の少なくとも一部に、更に、前記凹部の底部に向かうにつれて前記ケーブルの前記一端側から前記他端側へ前記ケーブルの延出方向に沿って傾斜する傾斜面が設けられており、該傾斜面を前記第一ハウジングの少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させる請求項１乃至１１のいずれかに記載のコネクタ装置。
【請求項１３】
互いに嵌合可能な第一コネクタと第二コネクタを有するコネクタ装置であって、
前記第一コネクタは、第一ハウジングを有し、
前記第二コネクタは、前記第一ハウジングを収容する凹部を設けた第二ハウジングを有し、
前記第一ハウジングの周壁の一の側に、一端側に前記第一ハウジングを配置したケーブルの他端側を前記第一ハウジングの外部に取り出すことができる第一取出部が設けられており、
前記凹部の周壁の一の側に、前記ケーブルの前記他端側を前記第二ハウジングの外部に取り出すことができる第二取出部が設けられており、
前記凹部の周壁の前記一の側に対向する側の内周面の少なくとも一部に、前記凹部の底部に向かうにつれて前記ケーブルの前記一端側から前記他端側へ前記ケーブルの延出方向に沿って傾斜する傾斜面が設けられており、該傾斜面を前記第一ハウジングの少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させることを特徴とするコネクタ装置。
【請求項１４】
互いに嵌合可能な第一コネクタと第二コネクタを有するコネクタ装置であって、
前記第一コネクタは、第一ハウジングを有し、
前記第二コネクタは、前記第一ハウジングを収容する凹部を設けた第二ハウジングを有し、
前記第一ハウジングの周壁の一の側に、一端側に前記第一ハウジングを配置したケーブルの他端側を前記第一ハウジングの外部に取り出すことができる第一取出部が設けられており、
前記凹部の周壁の一の側に、前記ケーブルの前記他端側を前記第二ハウジングの外部に取り出すことができる第二取出部が設けられており、
前記第一コネクタと前記第二コネクタとの嵌合過程にて、前記第一ハウジングの上面と第二ハウジングの前記凹部の底面とが略平行な状態を維持したまま、前記第一コネクタを前記第二コネクタに対して前記ケーブルの前記一端側から前記他端側へ前記ケーブルの延出方向に沿って移動させることを特徴とするコネクタ装置。
【発明の詳細な説明】
【技術分野】
【０００１】
本発明は、電気コネクタ装置や光コネクタ装置のような互いに嵌合可能なコネクタの組から成る、例えば、電気コネクタ装置や光コネクタ装置、特に、一方がケーブルコネクタであるコネクタ装置に関する。
【背景技術】
【０００２】
特許文献１には、この種のコネクタ装置のうち、特に電気コネクタ装置の一例が示されている。このコネクタ装置は、互いに嵌合可能な第一コネクタと第二コネクタから成る。第一コネクタは、第一ハウジングと、この第一ハウジングに設けられた第一端子を有する。第二コネクタは、第一ハウジングを収容する凹部を設けた第二ハウジングと、第二ハウジングに設けられ第一端子と電気的に接続され得る第二端子を有する。
【０００３】
第一ハウジングの周壁の一の側には、第一ハウジングに一端側を接続したケーブルの他端側を第一ハウジングの外部に取り出すことができる第一取出部が設けられており、これに対応して、第二ハウジングには、ケーブルの他端側を第二ハウジングの外部に取り出すことができる第二取出部が設けられている。
【０００４】
このコネクタ装置において、第一コネクタと第二コネクタを嵌合させるためには２つの動作を必要とする。第一の動作として、先ず、第一コネクタを第二コネクタの凹部に挿入することが必要となる。この第一の動作は、第一コネクタを凹部に対して垂直方向に移動させることによって行われる。次いで、第二の動作として、第一コネクタを凹部に係止させるために、第一コネクタを第二コネクタに対して水平方向に移動させることが必要となる。この第二の動作を通じて、第一コネクタの外周面にて外方に突出する凸部が凹部の内周面にて内方に突出する凸部の下側にスライド移動し、この結果、第一コネクタと第二コネクタはロックされることになる。
【先行技術文献】
【特許文献】
【０００５】
【特許文献１】特開２０１３−２６１５９号公報
【発明の概要】
【発明が解決しようとする課題】
【０００６】
上記の従来構成では、第一コネクタと第二コネクタをロックさせるために、垂直方向への移動動作と水平方向への移動動作の２つの動作が必要であり、従って、嵌合作業が非常に煩雑であり、例えば、ロボットを用いた自動化には困難であった。
本願発明はこのような従来技術における問題点を解決するためになされたものであり、一つの動作で、垂直方向への移動と水平方向への移動の双方を同時に実現することができるコネクタ装置を提供することを目的とする。更に、このような移動を通じて、第一コネクタと第二コネクタをロックすることもできるコネクタ装置を提供することをも目的とする。
【課題を解決するための手段】
【０００７】
本発明の一つの態様によるコネクタ装置は、互いに嵌合可能な第一コネクタと第二コネクタを有し、前記第一コネクタは、第一ハウジングを有し、前記第二コネクタは、前記第一ハウジングを収容する凹部を設けた第二ハウジングを有し、前記第一ハウジングの周壁の一の側に、一端側に前記第一ハウジングを配置したケーブルの他端側を前記第一ハウジングの外部に取り出すことができる第一取出部が設けられており、前記凹部の周壁の一の側に、前記ケーブルの前記他端側を前記第二ハウジングの外部に取り出すことができる第二取出部が設けられており、前記第一ハウジングの周壁の前記一の側に対向する側の外周面の少なくとも一部に、前記凹部の底部側に向かうにつれて前記ケーブルの前記一端側から前記他端側へ前記ケーブルの延出方向に沿って傾斜する傾斜面が設けられており、該傾斜面を前記凹部の少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させることを特徴として有する。
このような本発明によれば、第一コネクタを第二コネクタに対して押し付けるという一つの動作で、垂直方向への移動と水平方向への移動の双方を同時に実現することができるコネクタ装置が提供される。
【０００８】
上記態様のコネクタ装置において、前記第一ハウジングの周壁の前記一の側の外周面の少なくとも一部に、前記凹部の底部側に向かうにつれて前記ケーブルの前記一端側から前記他端側へ前記ケーブルの延出方向に沿って傾斜する他の傾斜面が設けられており、これに対応して、前記凹部の周壁の前記一の側の内周面の少なくとも一部に、前記凹部の前記底部に向かうにつれて前記ケーブルの前記他端側から前記一端側へ前記ケーブルの延出方向に沿って傾斜する他の傾斜面が設けられており、前記凹部の前記他の傾斜面は、前記第一コネクタと前記第二コネクタの嵌合完了時に、少なくとも前記凹部の前記他の傾斜面と前記第一ハウジングの前記他の傾斜面とが前記ケーブルの延出方向において重なり部分を有するように前記ケーブルの前記他端側から前記一端側に向って突出していてもよい。
このような構成とすることにより、例えば、第一コネクタに接続されたケーブル他端側が持ち上げられて第一コネクタが凹部から不用意に抜出方向に移動されようとしたときでも、第一コネクタのハウジングの傾斜面と、第二コネクタのハウジングの傾斜面とを衝突させて、第一コネクタの抜出を効果的に阻止することができる。
【０００９】
また、上記態様のコネクタ装置において、前記第一ハウジングの上面の前記一の側の少なくとも一部は、前記第一コネクタと前記第二コネクタの嵌合完了時に、前記凹部の前記他の傾斜面の先端部よりも、前記ケーブルの前記一端側から前記他端側に向って突出していてもよい。
このような構成とすることにより、凹部の開口面積をより小さくして、ごみの問題等を解消することができる。
【００１０】
また、上記態様のコネクタ装置において、前記第一ハウジングの前記一の側と前記対向する側以外の側の外周面に外方に突出する突部が設けられており、これに対応して、前記凹部の前記一の側と前記対向する側以外の側の内周面に、前記第一コネクタが前記第二コネクタに載置されたときに前記第一ハウジングの前記突部よりも内方に突出した状態にある載置部が設けられており、前記第一ハウジングに設けられた突部が前記凹部に設けられた載置部を乗り越えることによって、前記第一コネクタは前記第二コネクタにロックされてもよい。
このような構成とすることにより、第一コネクタを第二コネクタに対して押し付けるという一つの動作を通じて、第一コネクタと第二コネクタを互いにロックさせることができる。
【００１１】
更に、上記態様のコネクタ装置において、前記第一ハウジングの外周面と前記凹部の内周面はそれぞれ略矩形であって、前記第一ハウジングの前記突部は、該第一ハウジングの前記一の側と前記対向する側との間に位置する対向する左右各側の外周面にそれぞれに設けられており、前記凹部の前記載置部は、該凹部の前記一の側と前記対向する側との間に位置する対向する左右各側の内周面にそれぞれ設けられていてもよい。
【００１２】
更にまた、上記態様のコネクタ装置において、前記第一ハウジングの前記一の側寄りに設けられた前記突部と、前記第二ハウジングの前記一の側寄りに設けられた前記載置部が一つの組を成し、前記第一ハウジングの前記対向する側寄りに設けられた前記突部と、前記第二ハウジングの前記対向する側寄りに設けられた前記載置部が他の組を成し、前記第一ハウジングの前記一の側寄りに設けられた前記突部が、前記第二ハウジングの前記一の側寄りに設けられた前記載置部を乗り越えるために要する力が、前記第一ハウジングの前記対向する側寄りに設けられた前記突部が、前記第二ハウジングの前記対向する側寄りに設けられた前記突部を乗り越えるために要する力よりも小さいのが好ましい。
この構成により、第一コネクタの前側にかかる力を後側へと効率的に分散させて、第一コネクタを第二コネクタに対して安定した状態で押し付けることができる。
【００１３】
また、上記態様のコネクタ装置において、前記衝突を通じて前記第一コネクタを前記第二コネクタに対して前記ケーブルの前記一端側から前記他端側へ前記ケーブルの延出方向に沿って移動させる前に、前記第一ハウジングは、前記一の組の突部と載置部の当接と前記他の組の突部と載置部の当接とを通じて、前記凹部に対して所定の姿勢で維持されるのが好ましい。
この構成により、ユーザは、第一コネクタのハウジングを、実際に、第二コネクタの凹部に収容させる前に、第一コネクタを第二コネクタに安定した状態で位置決めすることができる。
【００１４】
また、上記態様のコネクタ装置において、前記コネクタ装置は電気コネクタ装置であってもよく、前記第一コネクタは、前記第一ハウジングに設けられた第一端子を有し、前記第二コネクタは、前記第二ハウジングに設けられ前記第一端子と電気的に接続され得る第二端子を有する。
【００１５】
また、上記態様のコネクタ装置において、前記第一ハウジングが、前記突部と前記載置部の当接を通じて、前記凹部に対して所定の姿勢で維持されているとき、前記第一端子と前記第二端子は電気的に接続しないのが好ましい。
この構成により、不安定な接触による雑音信号の発生を防止することができる。
【００１６】
更に、上記態様のコネクタ装置において、前記凹部の開口側に、前記第一ハウジング部を前記凹部の前記底部へ向かって案内する案内面が設けられているのが好ましい。
これにより、第一ハウジング部を凹部の底部へ向かってスムーズに案内することができる。
【００１７】
更に、上記態様のコネクタ装置において、前記第二コネクタは基板実装型のコネクタであってもよい。
【００１８】
更に、上記態様のコネクタ装置において、前記凹部の周壁の前記一の側に対向する側の内周面の少なくとも一部に、更に、前記凹部の底部に向かうにつれて前記ケーブルの前記一端側から前記他端側へ前記ケーブルの延出方向に沿って傾斜する傾斜面が設けられており、該傾斜面を前記第一ハウジングの少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させてもよい。
【００１９】
また、本発明の他の態様によるコネクタ装置は、互いに嵌合可能な第一コネクタと第二コネクタを有するコネクタ装置であって、前記第一コネクタは、第一ハウジングを有し、前記第二コネクタは、前記第一ハウジングを収容する凹部を設けた第二ハウジングを有し、前記第一ハウジングの周壁の一の側に、一端側に前記第一ハウジングを配置したケーブルの他端側を前記第一ハウジングの外部に取り出すことができる第一取出部が設けられており、前記凹部の周壁の一の側に、前記ケーブルの前記他端側を前記第二ハウジングの外部に取り出すことができる第二取出部が設けられており、前記凹部の周壁の前記一の側に対向する側の内周面の少なくとも一部に、前記凹部の底部に向かうにつれて前記ケーブルの前記一端側から前記他端側へ前記ケーブルの延出方向に沿って傾斜する傾斜面が設けられており、該傾斜面を前記第一ハウジングの少なくとも一部と衝突させることにより、前記第一コネクタと前記第二コネクタの嵌合過程にて、前記第一コネクタを前記第二コネクタに対して前記ケーブルの前記一端側から前記他端側へ前記ケーブルの延出方向に沿って移動させることを特徴として有する。
【００２０】
本発明の更に他の態様によるコネクタ装置は、互いに嵌合可能な第一コネクタと第二コネクタを有するコネクタ装置であって、前記第一コネクタは、第一ハウジングを有し、前記第二コネクタは、前記第一ハウジングを収容する凹部を設けた第二ハウジングを有し、前記第一ハウジングの周壁の一の側に、一端側に前記第一ハウジングを配置したケーブルの他端側を前記第一ハウジングの外部に取り出すことができる第一取出部が設けられており、前記凹部の周壁の一の側に、前記ケーブルの前記他端側を前記第二ハウジングの外部に取り出すことができる第二取出部が設けられており、前記第一コネクタと前記第二コネクタとの嵌合過程にて、前記第一ハウジングの上面と第二ハウジングの前記凹部の底面とが略平行な状態を維持したまま、前記第一コネクタを前記第二コネクタに対して前記ケーブルの前記一端側から前記他端側へ前記ケーブルの延出方向に沿って移動させることを特徴として有する。
【発明の効果】
【００２１】
本発明によれば、一つの動作で、垂直方向への移動と水平方向への移動の双方を同時に実現することができるコネクタ装置が提供される。更に、このような移動を通じて、第一コネクタと第二コネクタをロックすることができるコネクタ装置も提供される。
【図面の簡単な説明】
【００２２】
【図１】本発明の一実施形態によるコネクタ装置の斜視図である。
【図２】ケーブルコネクタの底側斜視図である。
【図３】基板コネクタ単体の上側斜視図である。
【図４】基板コネクタ単体の平面図である。
【図５】基板コネクタ単体の断面図である。
【図６】嵌合前におけるケーブルコネクタと基板コネクタの平面図である。
【図７】図６におけるＧ−Ｇ線断面図である。
【図８】図６におけるＨ−Ｈ線断面図である。
【図９】図６におけるＩ−Ｉ線断面図である。
【図１０】嵌合過程における断面図である。
【図１１】嵌合過程における断面図である。
【図１２】嵌合過程における断面図である。
【図１３】嵌合完了時における断面図である。
【図１４】嵌合完了時における断面図である。
【図１５】嵌合完了時における断面図である。
【発明を実施するための形態】
【００２３】
添付図面を参照して、本発明の好適な一つの実施形態によるコネクタ装置について説明する。尚、ここでは電気コネクタ装置１０を例に挙げて説明するが、本発明を電気コネクタ装置に限定する意図ではない。
【００２４】
図１に、電気コネクタ装置１０の斜視図を、図２に、ケーブルコネクタ２０の底側斜視図をそれぞれ示す。電気コネクタ装置１０は、互いに嵌合可能な２つのコネクタ２０、６０の組から成る。各コネクタ２０、６０はそれぞれ、左右対称形状を有する。図１は、コネクタ２０とコネクタ６０が嵌合される前の状態をコネクタ２０にケーブル１（ここでは特に、電気ケーブル）を取り付けた状態で示したもの、図２は、コネクタ２０だけをケーブル１を取り除いた状態で示したものである。
【００２５】
コネクタ２０は、ケーブル１の一端側に接続されるケーブルコネクタとして構成されている。一例として２本のケーブル１を接続することができるものとして示したが、勿論、１本又は３本以上のケーブル１を接続することができるものであってもよい。一方、コネクタ６０は、基板２に実装された基板コネクタ６０として構成されている。一例として基板コネクタ６０として示したが、必ずしも基板実装型である必要はなく、例えば、コネクタ２０と同様にケーブル型であってもよい。
【００２６】
ケーブルコネクタ２０は、ハウジング２１と、このハウジング２１に設けられた端子２２（後述する図８以降に示されている）を有する。端子２２は、ケーブル１の一端側に電気的に接続されている。
【００２７】
基板コネクタ６０は、ハウジング６１と、このハウジング６１に設けられた端子６２と、更に、補強金具６３を有する。端子６２は、その実装部６２’において、基板２の所定の配線部分に接続されている。ハウジング６１には、ケーブルコネクタ２０のハウジング２１が収容される凹部６４が設けられている。凹部６４に、ケーブルコネクタ２０のハウジング２１が収容されることにより、ケーブルコネクタ２０の端子２２と基板コネクタ６０の端子６２が接続され、更に、これら端子間の接続を通じて、ケーブル１と基板２の配線部分が電気的に接続されることになる。尚、端子２２と端子６２は、電気的に接続されれば足り、必ずしも物理的に接続される必要はない。
【００２８】
ケーブルコネクタ２０のハウジング２１の外周面３４は矩形であって、後側３３と、これに対向する前側３１と、更に、前側３１と後側３３の間に位置する対向する左右各側３５の壁面によって、ハウジング２１の周壁が形成されている。ハウジング２１の左右各側３５の外周面３４、換言すれば、前側３１と後側３３以外の外周面３４には、それぞれ、外方に突出する突部５１、５２が設けられている。これら突部５１、５２は、基板コネクタ６０の一部（９１、９２）と協働して、ケーブルコネクタ２０と基板コネクタ６０との間のロック機構を形成する。一方の突部５１は前側３１寄りに、他方の突部５２は後側３３寄りに、それぞれ配置されている。前側３１寄りの突部５１は、半円状に隆起した部分によって形成されており、後側３３寄りの突部５２は、断面略三角形状の比較的大きな隆起部分として形成されている。突部５１の外方への突出の度合いは、突部５２のそれより小さく、更に、突部５１と突部５２の間に、突部５１を設けた外面を突部５２を設けた外面よりも引っ込める段部５３が形成されていることから、突部５１は突部５２よりも更に内側に引っ込んだ状態とされている。
【００２９】
ハウジング２１の上面２１Ａの前側中央に、前側に突出した状態で、ケーブルコネクタ２０と基板コネクタ６０の嵌合を解除するために使用することができる持上げ部２３が設けられている。嵌合を解除する際は、この持上げ部２３を上方へと持ち上げてケーブルコネクタ２０を上向き傾斜姿勢として、ケーブルコネクタ２０を基板コネクタ６０の凹部６４から取り出す。
【００３０】
持上げ部２３の上面中央には、ケーブルコネクタ２０の厚み方向に貫通した貫通孔２６が設けられている。ケーブルコネクタ２０と基板コネクタ６０の嵌合時には、この貫通孔２６に基板コネクタ６０の一部（６６Ａ）が挿入され、この結果、ケーブルコネクタ２０と基板コネクタ６０の嵌合状態をより安定させることができる。尚、貫通孔２６は、基板コネクタ６０の一部（６６Ａ）を挿入することができれば足り、必ずしも貫通している必要はない。
【００３１】
尚、ハウジング２１の上面２１Ａから、ハウジング２１の外周面３４、特に、その後側３３にかけて設けられている窪み２７は、ケーブルコネクタ２０をロボットアーム（図示されていない）で把持するために使用するためのものであって、必ずしも必要なものではない。
【００３２】
ハウジング２１の外周面３４、特に、その前側３１の、持上げ部２３を挟んだ左右各側の壁面は、それぞれ、３つの面から形成されている。略中央に位置する傾斜面４１Ａと、この傾斜面４１Ａを上下各側から挟み込む比較的小さな垂直面４１Ｂと比較的大きな垂直面４１Ｃとである。特に、略中央に位置する傾斜面４１Ａは、凹部６４の底部７８側に向かうにつれてケーブル１の一端側から他端側１Ａへケーブル１の延出方向「β」（図１参照）に沿って傾斜するように構成されている。この傾斜面４１Ａは、ケーブルコネクタ２０と基板コネクタ６０の嵌合過程にて、ケーブルコネクタ２０を基板コネクタ６０に対してケーブル１の一端側から他端側１Ａへケーブル１の延出方向「β」（図１参照）に沿って移動させる重要な働きを有する。尚、垂直面４１Ｂ、４１Ｃについては、必ずしも垂直に形成する必要はなく、例えば、それらを傾斜させて傾斜面４１Ａの一部に組み込んでもよい。
【００３３】
ハウジング２１の周壁、特に、その後側３３の、窪み２７を挟んだ左右各側に、ハウジング２１に一端側を接続したケーブル１の他端側１Ａをハウジング２１の外部に取り出すことができる取出部２５が設けられている。本実施形態では、２本のケーブル１を接続可能としていることから、２個の取出部２５が設けられている。更に、取出部２５の左右各側に、凹部６４の底部７８側に向かうにつれてケーブル１の一端側から他端側１Ａへケーブル１の延出方向「β」（図１参照）に沿って傾斜する傾斜面４３が設けられている。これらの傾斜面４３は、ケーブルコネクタ２０が後端側を持ち上げられて不用意に抜出方向に移動されようとしたときに、ケーブルコネクタの抜出を阻止する重要な働きを有する。
【００３４】
ハウジング２１の底面２１Ｂには、基板コネクタ６０に設けた端子６２の立設部６２Ａ、６２Ｂが挿入される端子挿入部２８Ａ、２８Ｂが設けられている。更に、この底面２１Ｂには、基板コネクタ６０の一部（８４）と係合するランス２４が設けられている。尚、ハウジング２１の底部側の縁部には、凹部６４への収容をスムーズにするためにテーパー２９を設けておくのが好ましい。
【００３５】
図３に、基板コネクタ６０単体の上側斜視図を、図４に、その平面図を、図５の（ａ）に、図４のＡ−Ａ線断面図、（ｂ）に、図４のＢ−Ｂ線断面図を、それぞれ示す。
ケーブルコネクタ２０のハウジング２１の外周面３４に対応して、基板コネクタ６０の凹部６４の内周面７４は矩形とされており、後側７３と、これに対向する前側７１と、更に、前側７１と後側７３の間に位置する対向する左右各側７５の壁面によって、凹部６４の周壁が形成されている。尚、凹部６４の開口側には、ケーブルコネクタ２０のハウジング２１を凹部６４の底部７８へ向かって案内する案内面６８を設けておくのが好ましい。
【００３６】
ハウジング６１の左右各側７５の内周面７４、換言すれば、前側７１と後側７３以外の内周面７４に、それぞれ、ケーブルコネクタ２０の突部５１、５２に対応して、ケーブルコネクタ２０が基板コネクタ６０に載置されたときに突部５１よりも内方に突出した状態にある載置部９１と、同様に、窪み部９２’を設けることによってケーブルコネクタ２０が基板コネクタ６０に載置されたときに突部５２よりも内方に突出した状態にある載置部９２が設けられている。一方の載置部９１は前側７１寄りに、他方の載置部９２は後側７３寄りに、それぞれ配置されている。更に言えば、ケーブルハウジング２１に設けられた突部５２と、基板コネクタ６０に設けられた載置部９２は一つの組を成し、また、ケーブルハウジング２１に設けられた突部５１と、基板コネクタ６０に設けられた載置部９１が他の組を成す。ケーブルコネクタ２０と基板コネクタ６０の嵌合過程において、ケーブルコネクタ２０のハウジング２１の突部５１、５２が、基板コネクタ６０の凹部６４の載置部９１、９２を乗り越えることにより、ケーブルコネクタ２０は基板コネクタ６０にロックされることになる。突部５１、５２と異なり、載置部９１、９２の内方への突出の度合いは略同じであるが、ケーブルコネクタ２０において、突部５２の突出の度合いは突部５１のそれより大きく設定されていることから、載置部９２を乗り越えた位置９２’には、載置部９１を乗り越えた位置９１’には存在しない大きな窪み部９２’を設けて、突部５２の突出を許容するようになっている。これらの構造により、突部５２が載置部９２を乗り越えるために要する力は、突部５１が載置部９１を乗り越えるために要する力よりも大きくなっていることが好ましい。この結果、嵌合過程において、ケーブルコネクタ２０に対して突部５２が載置部９２を乗り越えるために要する力を印加することで、突部５２が載置部９２を乗り越えるとともに突部５１も載置部９１を乗り越え、ケーブルコネクタ２０を基板コネクタ６０に対して安定した状態で押し付けることができる。仮に、突部５２が載置部９２を乗り越えるために要する力を、突部５１が載置部９１を乗り越えるために要する力よりも小さく設定した場合には、突部５１が載置部９１を乗り越えない状態のまま突部５２だけが載置部９２を乗り越えてしまい、ケーブルコネクタ２０の前側が凹部６４に対して持ち上げられて、ケーブルコネクタ２０を基板コネクタ６０に対して安定した状態で押し付けることができないおそれが生ずる。本願発明では上記の力関係とすることにより、安定した状態で押し付けを行うことができる。
【００３７】
基板コネクタ６０の端子６２は、左右各側に１つずつ計２つ設けられている。これら２つの端子６２は、補強金具６３ともに、ハウジング６１と一体成形されている。
各端子６２の一部６２Ａ、６２Ｂは、ハウジング６１の左右各側において、前側７１の内周面７４にその一部を保持された状態で、凹部６４の底部７８から開口側に向かって立設している。これらの立設部６２Ａ、６２Ｂは、それぞれ、ケーブルコネクタ２０と基板コネクタ６０の嵌合過程において、ケーブルコネクタ２０のハウジング２１に設けた端子挿入部２８に挿入され、この結果、ケーブルコネクタ２０の各端子（２２）と接続されることになる。
【００３８】
凹部６４の前側７１の中央に、立設部６２Ａと立設部６２Ｂの間を隔てるハウジング壁６６が設けられている。ハウジング壁６６は、図示のように２つの段部６６Ａ、６６Ｂから成っていてもよい。端子間にハウジング壁６６を設けることにより、端子間の沿面距離を大きく設定することができるようになっている。
【００３９】
凹部６４の内周面７４、特に、その前側７１の、ハウジング壁６６を挟んだ左右各側の壁面には、案内面６８に加え、凹部６４の底部７８側へ向かって、垂直面８２と傾斜面８１がこれらの順に設けられている。特に、傾斜面８１は、ハウジング２１に設けた傾斜面４１Ａと同様に、凹部６４の底部７８に向かうにつれてケーブル１の一端側から他端側１Ａ（図１参照）へケーブル１の延出方向β（図１参照）に沿って傾斜している。このような傾斜面８１を設けることにより、ハウジング２１の傾斜面４１Ａとの衝突を防止することができるようになっている。尚、この傾斜面８１は、ハウジング２１の傾斜面４１Ａと同様に、ケーブルコネクタ２０と基板コネクタ６０の嵌合過程にて、ケーブルコネクタ２０を基板コネクタ６０に対してケーブル１の一端側から他端側１Ａへケーブル１の延出方向「β」（図１参照）に沿って移動させるために用いることもできる。この点については後述する。
【００４０】
ハウジング６１の周壁、特に、その後側７３に、ケーブルコネクタ２０のハウジング２１に設けた取出部２５に対応して分離体６７を利用して２個の取出部６５が設けられている。これらの取出部６５は、凹部６４に収容されたケーブルコネクタ２０のハウジング２１の取出部２５と連通して、一端側にハウジング２１を配置したケーブル１の他端側１Ａをハウジング６１の外部に取り出すために使用される。
【００４１】
凹部６４の内周面７４、特に、その後側７３の、取出部６５が形成されている部分には、凹部６４の底部７８に向かうにつれてケーブル１の一端側（ケーブル１から見てハウジング２１が設けられた側）から他端側１Ａ（図）へケーブル１の延出方向「β」に沿って傾斜する傾斜面８３が設けられている。この傾斜面８３は、ケーブルコネクタ２０と基板コネクタ６０の嵌合完了時に、ケーブルコネクタ２０が後端側を持ち上げられて不用意に抜出方向に移動されようとしたときに、ケーブルコネクタ２０の一部（４３）と衝突して、ケーブルコネクタの抜出を阻止するという重要な働きを有する。
【００４２】
図６乃至図１５を参照して、電気コネクタ装置１０の嵌合動作を説明する。
図６は、嵌合前におけるケーブルコネクタ２０と基板コネクタ６０の平面図、図７は、図６におけるＧ−Ｇ線断面図、図８は、同Ｈ−Ｈ線断面図、図９は、同Ｉ−Ｉ線断面図である。図１０乃至図１２はそれぞれ、嵌合過程における図７乃至図９に対応する図、図１３乃至図１５はそれぞれ、嵌合完了時における図７乃至図９に対応する図である。
【００４３】
図７乃至図９に示す嵌合前の状態から、図１０乃至図１２に示す嵌合過程に至る際、ケーブルコネクタ２０は、ハウジング２１に設けたテーパー２９と、基板コネクタ６０のハウジング６１に設けた案内面６８を利用して、基板コネクタ６０の凹部６４へと導かれる。
【００４４】
その後、ケーブルコネクタ２０のハウジング２１は、ハウジング２１に設けた突部５１と、基板コネクタ６０のハウジング６１に設けた載置部９１とが当接し、且つ、ハウジング２１に設けた突部５２と、基板コネクタ６０のハウジング６１に設けた載置部９２とが当接するまで、基板コネクタ６０の凹部６４に挿入され、これらの当接を通じて、凹部６４に対して所定の姿勢を取る。尚、このとき、ケーブルコネクタ２０のハウジング２１の前側３１の外周面３４に設けた傾斜面４１Ａは、基板コネクタ６０の凹部６４、特に、その縁６９と衝突した状態にあってもよいし、未だ衝突しない状態にあってもよい。この所定の姿勢では、ハウジング２１の上面２１Ａと基板コネクタ６０の凹部６４の底面７８とが略平行な状態となるように、ケーブルコネクタ２０は基板コネクタ６０に対して位置している。よって、ユーザは、ケーブルコネクタ２０のハウジング２１を実際に基板コネクタ６０の凹部６４に収容させる前に、ケーブルコネクタ２０を基板コネクタ６０に位置決めすることができる。尚、ケーブルコネクタ２０が基板コネクタ６０にこのような所定の姿勢を取っているとき、ケーブルコネクタ２０の端子２２と、基板コネクタ６０の６２は、物理的にも電気的にも接続されることはない。従って、不安定な接触による雑音信号の発生を防止することができる。
【００４５】
ケーブルコネクタ２０を基板コネクタ６０に押し付ける方向に力を加えることにより、図１０乃至図１２に示す嵌合過程から図１３乃至図１５に示す嵌合完了状態とすることができる。このとき、ケーブルコネクタ２０のハウジング２１の前側３１の外周面３４に設けた傾斜面４１Ａは、基板コネクタ６０の凹部６４、例えば、凹部６４の縁６９と衝突し、この結果、ケーブルコネクタ２０は、基板コネクタ６０に対して、ケーブル１の一端側から他端側１Ａへケーブル１の延出方向「β」（図１参照）に沿って移動する。更に言えば、先ず、傾斜面４１Ａが縁６９に当接し、この当接状態を維持したままケーブルコネクタ２０全体が傾斜面４１Ａに沿って移動する。このように、傾斜面４１Ａが基準面となり、縁６９に対して擦動することによってケーブルコネクタ２０が移動する。
【００４６】
同時に、ケーブルコネクタ２０のハウジング２１に設けられた突部５１、５２が、基板コネクタ６０の凹部６４に設けられた載置部９１、９２をほぼ同じタイミングで乗り越えて、ケーブルコネクタ２０は基板コネクタ６０にロックされる。このように、乗り越えるタイミングがほぼ同時となるように設定することにより、基板コネクタ６０に対するケーブルコネクタ２０の姿勢を略維持したまま、換言すれば、ハウジング２１の上面２１Ａと基板コネクタ６０の凹部６４の底面７８とを略平行な状態のまま、ケーブルコネクタ２０を基板コネクタ６０に対して移動させることができる。また、この押し付け力を利用して、端子２２の接触部２２’の隙間に、端子６２の立設部６２Ａ、６２Ｂが圧入され、端子２２と端子６２とが電気的に接続される。
【００４７】
その後、ケーブルコネクタ２０のハウジング２１の後側３３の外周面３４に設けた傾斜面４３は、基板コネクタ６０の凹部６４の後側の内周面７４に設けた傾斜面８３の下側に潜り込む。この結果、図１５に示すように、ケーブルコネクタ２０と基板コネクタ６０の嵌合完了時には、凹部６４の傾斜面８３は、少なくともハウジング２１の傾斜面４３と、ケーブル１の延出方向「β」において重なり部分「Ｌ４」を有した状態となる。このような重なり部分「Ｌ４」を設けることにより、例えば、ケーブルコネクタ２０に接続されたケーブル１の後端側が持ち上げられてケーブルコネクタ２０が凹部６４から不用意に抜出方向に移動されようとしたときでも、ケーブルコネクタ２０のハウジング２１の傾斜面４３と、基板コネクタ６０のハウジング６１の傾斜面８３とを衝突させて、ケーブルコネクタ２０の抜出を効果的に阻止することができる。ここで、傾斜面４３の基板２（図１参照）或いは凹部６４の底部７８に対する傾斜角「ａ」（図１５、図９参照）の大きさは、傾斜面８３の傾斜角「ｂ」（図１５中の拡大図及び図９参照）の大きさより小さく設定されている。これにより、ケーブルの上側への引っ張り時に、傾斜面４３のうち下側の部分が、傾斜面８３の下側の部分に衝突することになり、抜出を確実に阻止することができる。
【００４８】
ケーブルコネクタ２０と基板コネクタ６０の嵌合完了時には、また、ハウジング２１の上面２１Ａの後方の一部５４が、凹部６４の傾斜面８３の先端部８３’よりも、ケーブル１の一端側から他端側１Ａに向って突出して、ケーブル１の上部をより広い範囲で覆う。これにより、凹部６４の開口面積をより小さくして、ごみの問題等を解消することができる。更に、嵌合完了時には、ハウジング２１の底面２１Ｂに設けたランス２４が基板コネクタ６０に設けたランス用の窪み８４に嵌り込む。
【００４９】
特に図示しないが、変形例として、凹部６４に設けた傾斜面８１を、ケーブルコネクタ２０のハウジング２１に設けた傾斜面４１Ａと同様に、ケーブルコネクタ２０を基板コネクタ６０に対して、ケーブル１の一端側から他端側１Ａへケーブル１の延出方向「β」（図１参照）に沿って移動させるために用いることもできる。この場合には、ケーブルコネクタ２０のハウジング２１には傾斜面４１Ａを設けずに、例えば、垂直面４１Ｃに沿う垂直面等に変更する。このように傾斜面４１Ａを取り除いた場合、ハウジング２１の底部の縁３１’は、傾斜面８１と衝突することになり、この結果、ケーブルコネクタ２０は基板コネクタ６０に対して、ケーブル１の一端側から他端側１Ａへケーブル１の延出方向「β」（図１参照）に沿って移動される。明らかなように、ケーブルコネクタ２０を移動させるために、ハウジング２１の傾斜面４１Ａと凹部６４の縁６９との衝突を用いることもできるし、また、凹部６４の傾斜面８１とハウジング２１の底部の縁３１’との衝突を用いることもできるし、更に、それらの双方を用いることもできる。
【００５０】
尚、本発明は、上述した実施の形態に限定されるわけではなく、その他種々の変更が可能である。例えば、本発明のコネクタ装置の構成は、電気コネクタ装置に限らず、光コネクタ装置に利用することもできる。光コネクタ装置に使用する場合には、電気ケーブル１に代えて光ファイバケーブルが接続される。また、ケーブルコネクタ２０のハウジング２１の外周面３４や、基板コネクタ６０の凹部６４の内周面７４は、必ずしも矩形である必要はなく、一の側とこれに対向する側があれば、例えば、平面視円形や正方形等の他の形状であってもよい。その他、様々な変形が可能である。
【産業上の利用可能性】
【００５１】
嵌合時に、垂直方向への移動動作と水平方向への移動動作の２つの動作が必要である様々なコネクタ装置に適用することができる。
【符号の説明】
【００５２】
１  ケーブル
１Ａ  他端側
２  基板
１０  電気コネクタ装置
２０  ケーブルコネクタ（第一コネクタ）
２１  ハウジング
２１Ａ  上面
２２  端子
２５  取出口
３１  前側
３１’  底部の縁
３３  後側
３４  外周面
３５  左右各側
４１Ａ  傾斜面
４３  傾斜面
５１  突部
５２  突部
６０  基板コネクタ（第二コネクタ）
６１  ハウジング
６２  端子
６４  凹部
６５  取出口
６８  案内面
７１  前側
７３  後側
７４  内周面
７５  左右各側
７８  底部
８１  傾斜面
８３  傾斜面
８３’  先端部
９１  載置部
９２  載置部
【図１】
2016149212.tif 000003
【図２】
2016149212.tif 000004
【図３】
2016149212.tif 000005
【図４】
2016149212.tif 000006
【図５】
2016149212.tif 000007
【図６】
2016149212.tif 000008
【図７】
2016149212.tif 000009
【図８】
2016149212.tif 000010
【図９】
2016149212.tif 000011
【図１０】
2016149212.tif 000012
【図１１】
2016149212.tif 000013
【図１２】
2016149212.tif 000014
【図１３】
2016149212.tif 000015
【図１４】
2016149212.tif 000016
【図１５】
2016149212.tif 000017